(57)【要約】【課題】停電等の原因により装置が停止した場合であっても記録媒体に記録されたデータの読出しを可能とし、さらに、記録媒体の損傷箇所を効率良く発見できる、データ記憶再生装置を提供する。【解決手段】ＨＤＤ（ハードディスクドライブ）５は、マルチメディアデータが記憶されるセグメント領域５１、ファイルの情報ファイルが記憶される情報ファイル領域５２、および、システム情報ファイルが記憶されるシステム情報領域５３に分割されている。システム情報領域５３へのシステム情報ファイルの保存および情報ファイル領域５２への情報ファイルの保存は、録画および／または再生の停止時ではなく、所定時間（Ｘ秒）ごとに行なわれる。装置が突然停止した場合、ＨＤＤ５において損傷の可能性が高いと考えられる場所が、情報ファイル領域５２およびシステム情報領域５３参照することにより検出できる。【選択図】        図２
2004206750.tif 000002
【特許請求の範囲】
【請求項１】
マルチメディアデータを記憶するための、不揮発性の記憶部を含み、当該記憶部に記憶されたマルチメディアデータを再生するデータ記憶再生装置であって、
前記記憶部は、マルチメディアデータが記憶される第１の領域と、当該第１の領域とは異なる第２および第３の領域に分割され、
前記第１の領域にマルチメディアデータを記憶させる制御部をさらに含み、
前記制御部は、
前記第１の領域に記憶されたマルチメディアデータの当該第１の領域における記憶位置に関する情報である記憶位置情報、および／または、前記第１の領域に記憶されたマルチメディアデータの再生位置に関する情報である再生位置情報を、最新の前記記憶位置情報および前記再生位置情報にフラグを立てて、所定時間ごとに、前記第２の領域に記憶させ、さらに、
前記第２の領域における、最新の前記記憶位置情報および最新の前記再生位置情報に対応する情報を、前記第３の領域に記憶させる、データ記憶再生装置。
【請求項２】
マルチメディアデータを記憶するための、不揮発性の記憶部を含み、当該記憶部に記憶されたマルチメディアデータを再生するデータ記憶再生装置であって、
前記記憶部は、マルチメディアデータが記憶される第１の領域と、当該第１の領域とは異なる第２および第３の領域に分割され、
前記第１の領域にマルチメディアデータを記憶させる制御部をさらに含み、
前記制御部は、
前記第１の領域に記憶されたマルチメディアデータの当該第１の領域における記憶位置に関する情報である記憶位置情報、および／または、前記第１の領域に記憶されたマルチメディアデータの再生位置に関する情報である再生位置情報を、所定時間ごとに、前記第２の領域に記憶させ、さらに、
前記第２の領域における、最新の前記記憶位置情報および最新の前記再生位置情報に対応する情報を、前記第３の領域に記憶させる、データ記憶再生装置。
【請求項３】
前記制御部は、前記第２の領域に、最新の前記記憶位置情報をフラグを立てて記憶させる、請求項２に記載のデータ記憶再生装置。
【請求項４】
前記制御部は、前記第２の領域に、最新の前記再生位置情報をフラグを立てて記憶させる、請求項２または請求項３に記載のデータ記憶再生装置。
【発明の詳細な説明】
【０００１】
【発明の属する技術分野】
本発明は、データ記憶再生装置に関し、特に、不良セグメントを効率良く発見できるデータ記憶再生装置に関する。
【０００２】
【従来の技術】
従来から、データの記憶動作について、種々の技術が開示されている。
【０００３】
たとえば、特許文献１には、記録再生装置において、一度中断された記録が自動的に再開する際、磁気テープを巻き戻すことによって、既に記録していた映像信号の欠落を回避する技術が開示されている。
【０００４】
また、特許文献２には、記録再生装置において、多数のプログラムが連続して記録される場合のために、録画が一時停止されたときと録画が再開されたときの録画情報の切れ目が、チャプタの境界として、チャプタを管理するための情報に自動的に登録される技術が開示されている。
【０００５】
また、特許文献３には、デジタルビデオレコーディング装置において、録画中に記録が異常停止した場合、停止するまで記録しているビデオデータに対応する再生制御情報が記録媒体に記録される技術が開示されている。
【０００６】
また、特許文献４には、データ記録装置において、記録媒体に対して記録するデータの管理情報を記録媒体あるいは不揮発性メモリに対して定期的に記録することにより、停電等の原因により装置が停止した場合であっても記録媒体に記録されたデータの読出しを可能とする技術が開示されている。
【０００７】
【特許文献１】
特開平５−２３６４１４号公報
【０００８】
【特許文献２】
特開２００２−１５２６３６公報
【０００９】
【特許文献３】
特開２００２−８４４９８公報
【００１０】
【特許文献４】
特開２００２−３２９７５公報
【００１１】
【発明が解決しようとする課題】
上記したように、停電等の原因により装置が停止した場合であっても記録媒体に記録されたデータの読出しを可能とすることは重要である。なお、停電等の原因により装置が停止した場合、記録媒体自身も損傷する場合がある。
【００１２】
本発明は、上述したかかる実情に鑑み考え出されたものであり、その目的は、停電等の原因により装置が停止した場合であっても記録媒体に記録されたデータの読出しを可能とし、さらに、記録媒体の損傷箇所を効率良く発見できる、データ記憶再生装置を提供することである。
【００１３】
【課題を解決するための手段】
本発明のある局面に従ったデータ記憶再生装置は、マルチメディアデータを記憶するための不揮発性の記憶部を含み、当該記憶部に記憶されたマルチメディアデータを再生するデータ記憶再生装置であって、前記記憶部は、マルチメディアデータが記憶される第１の領域と、当該第１の領域とは異なる第２および第３の領域に分割され、前記第１の領域にマルチメディアデータを記憶させる制御部をさらに含み、前記制御部は、前記第１の領域に記憶されたマルチメディアデータの当該第１の領域における記憶位置に関する情報である記憶位置情報、および／または、前記第１の領域に記憶されたマルチメディアデータの再生位置に関する情報である再生位置情報を、最新の前記記憶位置情報および前記再生位置情報にフラグを立てて、所定時間ごとに、前記第２の領域に記憶させ、さらに、前記第２の領域における、最新の前記記憶位置情報および最新の前記再生位置情報に対応する情報を、前記第３の領域に記憶させることを特徴とする。
【００１４】
本発明の他の局面に従ったデータ記憶再生装置は、マルチメディアデータを記憶するための不揮発性の記憶部を含み、当該記憶部に記憶されたマルチメディアデータを再生するデータ記憶再生装置であって、前記記憶部は、マルチメディアデータが記憶される第１の領域と、当該第１の領域とは異なる第２および第３の領域に分割され、前記第１の領域にマルチメディアデータを記憶させる制御部をさらに含み、前記制御部は、前記第１の領域に記憶されたマルチメディアデータの当該第１の領域における記憶位置に関する情報である記憶位置情報、および／または、前記第１の領域に記憶されたマルチメディアデータの再生位置に関する情報である再生位置情報を、所定時間ごとに、前記第２の領域に記憶させ、さらに、前記第２の領域における、最新の前記記憶位置情報および最新の前記再生位置情報に対応する情報を、前記第３の領域に記憶させることを特徴とする。
【００１５】
また、本発明に従ったデータ記憶再生装置では、前記制御部は、前記第２の領域に、最新の前記記憶位置情報をフラグを立てて記憶させることが好ましい。
【００１６】
また、本発明に従ったデータ記憶再生装置では、前記制御部は、前記第２の領域に、最新の前記再生位置情報をフラグを立てて記憶させることが好ましい。
【００１７】
【発明の実施の形態】
以下、図面を参照しつつ、本発明のデータ記憶再生装置の実施の形態の一例であるパーソナルビデオレコーダ（Personal Video Recorder : 以下、ＰＶＲと略す）について説明する。なお、以下の説明では、同一の部品には、特記された場合を除き、同一の符号が付され、それらの名称および機能も同じである。したがって、それらについての詳細な説明は繰り返さない。
【００１８】
図１は、ＰＶＲ１の制御ブロック図である。ＰＶＲ１は、当該ＰＶＲ１の動作を全体的に制御するＣＰＵ（Central Processing Unit）２を備えている。
【００１９】
また、ＰＶＲ１は、ＲＯＭ（Read Only Memory）３、ＲＡＭ（Random Access Memory）４、ＨＤＤ（Hard Disk Drive）５、映像出力部６、映像入力部７、入力部８、および、リモートコントローラ（リモコン）９を備えている。
【００２０】
ＲＯＭ３には、一般の情報処理装置に設置された場合と同様にＣＰＵ２が実行するべきプログラム等を記録する。ＲＡＭ４は、ＣＰＵ２のワークエリアとして機能する。ＨＤＤ５は、映像データ等を含むマルチメディアデータおよび当該マルチメディアデータの記憶位置についての情報等を記録するためのものである。映像入力部７は、外部のアンテナで受信された信号が適宜変換されて受信された映像等の各種のデータ、または、外部の装置から送られる各種のデータを、ＣＰＵ２に入力するためのものである。
【００２１】
入力部８は、ユーザがＰＶＲ１に対して情報を入力するためのものであり、たとえば単数または複数のキー操作部により構成される。リモコン９は、ＰＶＲ１本体から離間した場所からＰＶＲ１に入力するための情報を送信するものであり、入力部８に設けられた受信部（図示略）に向けて情報を送信する。入力部８では、リモコン９から受信した情報も、上記したキー操作部から入力された情報と同様に処理される。
【００２２】
映像出力部６は、ＣＰＵ２の制御に基づいて、外部の表示装置に向けて、データを出力するものである。なお、本実施の形態では、ＰＶＲ１が表示装置を含まないように記述されているが、ＰＶＲ１が表示装置と一体的に、つまり、ＰＶＲ１が表示装置を含むように構成されていてもよい。
【００２３】
図２は、上記したようにマルチメディアデータおよび当該マルチメディアデータの記憶位置についての情報等を記憶されるＨＤＤ５での記憶内容を模式的に示す図である。
【００２４】
ＨＤＤ５は、マルチメディアデータが記憶されるセグメント領域（第１の領域）５１、ファイルの情報ファイルが記憶される情報ファイル領域（第２の領域）５２、および、システム情報ファイルが記憶されるシステム情報領域（第３の領域）５３に分割されている。
【００２５】
セグメント領域５１は、さらに５００のセグメント（セグメント１〜５００）に分割されている。
【００２６】
情報ファイル領域５２は、ファイル１〜ファイル５０の情報ファイルが記憶できるように、５０に分割されている。情報ファイル領域５２には、ファイル１の情報ファイルから順に、所定時間ごとに、情報ファイルが記憶されていく。そして、５０の領域のすべてに情報ファイルが記憶されると、古いものから、最新の情報ファイルに上書きされる。
【００２７】
図３は、システム情報領域５３に記憶されるシステム情報ファイル、および、情報ファイル領域５２に記憶されるファイルの情報ファイルに含まれる情報を模式的に示す図である。
【００２８】
ファイル１〜ファイル５０の各ファイルの情報ファイルには、図３に示すように、ファイル名、ファイルサイズ、録画時間、録画品質、録画ポイント、および、使用セグメントが含まれる。具体的には、情報ファイルには、その時点で録画されているのが、セグメント領域５１内のどのセグメント（「使用セグメント」）の、当該セグメント内のどのポイント（「録画ポイント」）から、どの位の長さ（「録画時間」）か、という情報が含まれる。また、ファイル名は、当該セグメント内において録画中のファイルに対応するファイル名であり、ファイルサイズは当該ファイルのサイズである。ファイルサイズは、録画時間と録画品質によって変化する。録画品質は、ＰＶＲ１において適宜決定することができ、入力部８に入力される情報に従って変更も可能である。
【００２９】
なお、ＰＶＲ１において再生動作が行なわれている場合に作成されるファイルの情報ファイルは、上記した録画ポイントの代わりに、その時点で再生しているポイント（「再生ポイント」）を含む。
【００３０】
また、ＰＶＲ１では、録画が行なわれている際には、所定時間ごとに、ファイルの情報ファイルが作成されるが、録画と同時に再生が行なわれている場合には、録画についてのファイルの情報ファイルと再生についてのファイルの情報ファイルとが、作成される。
【００３１】
システム情報ファイルは、図３に示すように、情報ファイル領域５２における、その時点での、録画についての情報ファイルを特定するための録画ファイル番号、および、再生についての情報ファイルを特定するための再生ファイル番号を含む。
【００３２】
図４は、ＰＶＲ１においてＨＤＤ５にマルチメディアデータを記憶（録画）し、かつ、ＨＤＤ５に記憶されたマルチメディアデータを再生する際に、ＣＰＵ２が実行する録画再生処理のフローチャートである。
【００３３】
録画再生処理が開始されると、ＣＰＵ２は、まずステップＳ１（以下、ステップを省略する）で、セグメント領域５１に記憶させるためのマルチメディアデータ（録画ファイル）を作成し、ＲＡＭ４に一時的に保存する。
【００３４】
次に、ＣＰＵ２は、Ｓ２で、録画中フラグをＯＮする。
次に、ＣＰＵ２は、Ｓ３で、ＲＡＭ４に保存した録画データをセグメント領域５１に保存する。
【００３５】
次に、ＣＰＵ２は、Ｓ４で、再生させるためのデータをＨＤＤ５から読出し、映像出力部６を介して外部の表示装置等へと出力する。
【００３６】
次に、ＣＰＵ２は、Ｓ５で、後述するＳ６の処理を前回行なってからＸ秒（予め定められた値）が経過したか否かを判断し、経過していれば、Ｓ６で、その時点で作成した情報ファイルを情報ファイル領域５２に保存し、かつ、システム情報領域５３にその時点で作成したシステム情報ファイルを保存して、Ｓ７へ処理を進める。一方、経過していなければ、ＣＰＵ２は、直接Ｓ７へ処理を進める。なお、Ｓ６では、録画・再生の双方を行なっていれば、双方についての情報ファイルを１つずつ作成し保存する。
【００３７】
Ｓ７では、ＣＰＵ２は、入力部８において録画再生処理を終了する旨の操作がなされたか否かを判断する。そして、そのような操作がなされたと判断されればＳ８へ、まだそのような操作がなされていないと判断されればＳ３へ、それぞれ処理が進められる。
【００３８】
Ｓ８では、ＣＰＵ２は、録画中フラグをＯＦＦする。
次に、Ｓ９で、ＣＰＵ２は、録画ファイルを保存し、処理を終了する。
【００３９】
以上説明した本実施の形態では、ＰＶＲ１において録画と再生が同時に行なわれる処理についてのみ説明を行なったが、いずれか一方のみが行なわれる場合にも、同様の処理が実行される。つまり、録画のみが実行される場合には、図４を用いて説明した処理の中で再生に関する処理のみが省略される。また、再生のみが実行される場合には、図４を用いて説明した処理の中で録画に関する処理のみが省略される。
【００４０】
以上説明した本実施の形態によると、システム情報領域５３へのシステム情報ファイルの保存および情報ファイル領域５２への情報ファイルの保存が、録画および／または再生の停止時ではなく、所定時間（Ｘ秒）ごとに行なわれるため、録画および／または再生が、Ｓ７の処理とは無関係に、ＰＶＲ１が突然停止した場合でも、ＲＡＭ４に記憶されＨＤＤ５に記憶されていないマルチメディアデータの量、または、ＨＤＤ５に記憶されたが情報ファイル領域５２およびシステム情報ファイル５３に対応する情報が無いため再生ができないマルチメディアデータの量を、極力抑えることができる。
【００４１】
また、本実施の形態によると、Ｓ７の処理とは無関係に、ＰＶＲ１が突然停止した場合、ＨＤＤ５において、再生または録画が行なわれていた位置というのは損傷の可能性が高いと考えられる。本実施の形態では、情報ファイル領域５２およびシステム情報領域５３に所定時間ごとに情報が保存されるため、上記のようにＰＶＲ１が突然停止した場合でも、これらの各領域の情報を参照することにより、ＨＤＤ５において損傷の可能性が高いと考えられる場所を容易に検出できる。したがって、当該場所およびその近傍においてエラーチェックを行なうことにより、効率良く、ＨＤＤ５において損傷の可能性の高い場所のエラーチェックを行なうことができる。
【００４２】
なお、情報ファイルが情報ファイル領域５２に保存される際、最新のものにフラグを立てるようにされることが好ましい。これにより、万が一システム情報領域５３におけるシステム情報ファイルの保存が不完全だった場合でも、上記と同様の効果が得られる。
【００４３】
また、このようなフラグを、セグメント領域５１に記憶あれた番組ごとに立てることができれば、ＰＶＲ１では、番組ごとに、どこまで録画がなされたか、どこまで再生がなされたか、という情報を得ることができる。これにより、ＰＶＲ１において、たとえば、番組ごとに、前回再生されたところから再生を開始する等の処理が可能となる。なお、セグメント領域５１に記憶されたデータにおいて、同じ番組であるか異なる番組であるかということは、たとえば、ファイル名等で認識される。
【００４４】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【００４５】
【発明の効果】
本発明によると、データ記憶再生装置において、記憶部が第１〜第３の領域を含み、記録部の第２の領域に、記憶部の第１の領域に記憶されたマルチメディアデータの記憶位置に関する情報である記憶位置情報および／再生位置に関する情報である再生位置情報が定期的に記憶され、さらに、最新の記憶位置情報および最新の再生位置情報に対応する情報が、記憶部の第３の領域に記憶される。記憶位置情報および再生位置情報が定期的に記憶されるため、停電等の原因により装置が停止した場合であっても記録媒体に記録されたデータの読出しが可能となる。また、停電等の原因により装置が停止した際に記録媒体が損傷する位置に関する情報である最新の記憶位置情報および最新の再生位置情報に対応する情報が記憶されるため、記録媒体の損傷箇所を効率良く発見できる。
【００４６】
また、本発明によると、最新の記憶位置情報や最新の再生位置情報にフラグが立てられて記憶されるため、第３の領域におけるこれらの記憶が失敗した場合でも、最新の記憶位置情報および最新の再生位置情報を容易に検出できる。
【図面の簡単な説明】
【図１】本発明のデータ記憶再生装置の実施の形態の一例であるパーソナルビデオレコーダの制御ブロック図である。
【図２】図１のＨＤＤでの記憶内容を模式的に示す図である。
【図３】図２のシステム情報領域に記憶されるシステム情報ファイル、および、情報ファイル領域に記憶されるファイルの情報ファイルに含まれる情報を模式的に示す図である。
【図４】図１のＣＰＵが実行する録画再生処理のフローチャートである。
【符号の説明】
１  パーソナルビデオレコーダ、２  ＣＰＵ、３  ＲＯＭ、４  ＲＡＭ、５  ＨＤＤ、６  映像出力部、７  映像入力部、８  入力部、９  リモートコントローラ、５１  セグメント領域、５２  情報ファイル領域、５３  システム情報領域。
【図１】
2004206750.tif 000003
【図２】
2004206750.tif 000004
【図３】
2004206750.tif 000005
【図４】
2004206750.tif 000006